【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
被プリント媒体上の第１領域および前記被プリント媒体の端部からはみ出した第２領域に対して、着色剤を付与して画像をプリントする際のプリント条件を設定するためのプリント条件設定方法であって、
前記端部からの前記第２領域のはみ出し量として、異なる量ずつ段階的に変化する少なくとも３つのはみ出し量の内の１つを設定する工程を有することを特徴とするプリント条件設定方法。
【請求項２】
前記第２領域は、前記被プリント媒体の異なる方向に位置する複数の前記端部のそれぞれからはみ出した領域であり、
前記複数の端部からの前記第２領域のはみ出し量のそれぞれを個別に設定することを特徴とする請求項１に記載のプリント条件設定方法。
【請求項３】
前記第２領域は、前記被プリント媒体の異なる方向に位置する複数の前記端部のそれぞれからはみ出した領域であり、
予め定められた複数のはみ出し量レベルの１つを指定することにより、その指定したはみ出し量レベルに応じて、前記複数の端部からの前記第２領域のはみ出し量を関連的に設定することを特徴とする請求項１に記載のプリント条件設定方法。
【請求項４】
前記複数のはみ出し量レベルと、前記複数の端部からの前記第２領域のはみ出し量と、を関連付けて記憶するテーブルを用いて、前記複数の端部からの前記第２領域のはみ出し量を関連的に設定することを特徴とする請求項３に記載のプリント条件設定方法。
【請求項５】
前記第２領域は、前記被プリント媒体の少なくとも第１および第２の端部のそれぞれからはみ出した領域であり、
前記第１の端部からの前記第２領域のはみ出し量として設定可能なはみ出し量と、前記第２の端部からの前記第２領域のはみ出し量として設定可能なはみ出し量は、段階的な変化量が異なることを特徴とする請求項２ないし４のいずれかに記載のプリント条件設定方法。
【請求項６】
前記複数の端部は、上下左右の端部であることを特徴とする請求項２ないし５のいずれかに記載のプリント条件設定方法。
【請求項７】
前記第２領域のはみ出し量として設定可能なはみ出し量の最低量は、０であることを特徴とする請求項１ないし６のいずれかに記載のプリント条件設定方法。
【請求項８】
被プリント媒体上の第１領域および前記被プリント媒体の端部からはみ出した第２領域に対して、着色剤を付与して画像をプリントする際のプリント条件を設定するためのプリント条件設定方法であって、
予め定められた複数のはみ出し量レベルの中から１つのはみ出し量レベルを指定する工程と、
前記指定したはみ出し量レベルに応じて、少なくとも第１および第２の前記端部それぞれからの前記第２領域のはみ出し量として、第１および第２のはみ出し量を設定する工程とを有し、
所定のはみ出し量レベルが指定されたときに設定される第１のはみ出し量に対する、前記所定のはみ出し量レベルよりも小さいはみ出し量レベルが指定されたときに設定される第１のはみ出し量の低減率は、前記所定のはみ出し量レベルが指定されたときに設定される第２のはみ出し量に対する、前記小さいはみ出し量レベルが指定されたときに設定される第２のはみ出し量の低減率よりも大きいことを特徴とするプリント条件設定方法。
【請求項９】
被プリント媒体上の第１領域および前記被プリント媒体の端部からはみ出した第２領域に対して、着色剤を付与して画像をプリントする際のプリント条件を設定するためのプログラムであって、
前記端部からの前記第２領域のはみ出し量として、異なる量ずつ段階的に変化する少なくとも３つのはみ出し量の内の１つを設定する工程をコンピュータに実行させることを特徴とするプログラム。
【請求項１０】
被プリント媒体上の第１領域および前記被プリント媒体の端部からはみ出した第２領域に対して、着色剤を付与して画像をプリントするプリント方法であって、
前記端部からの前記第２領域のはみ出し量として、異なる量ずつ段階的に変化する少なくとも３つのはみ出し量の内の１つを設定する工程と、
前記設定されたはみ出し量に基づいて画像をプリントする工程と、
を有することを特徴とするプリント方法。
【請求項１１】
被プリント媒体上の第１領域および前記被プリント媒体の端部からはみ出した第２領域に対して、着色剤を付与して画像をプリント可能なプリンタと、
前記端部からの前記第２領域のはみ出し量として、異なる量ずつ段階的に変化する少なくとも３つのはみ出し量の内の１つを設定可能な制御装置と、
を含むことを特徴とするプリントシステム。
【請求項１２】
被プリント媒体上の第１領域および前記被プリント媒体の端部からはみ出した第２領域に対して、着色剤を付与して画像をプリント可能なプリンタであって、
前記端部からの前記第２領域のはみ出し量として、異なる量ずつ段階的に変化する少なくとも３つのはみ出し量の内の１つを設定可能な制御手段を備える
ことを特徴とするプリンタ。
【手続補正２】
【補正対象書類名】明細書
【補正対象項目名】発明の名称
【補正方法】変更
【補正の内容】
【発明の名称】プリント条件設定方法、プログラム、プリント方法、プリントシステム、およびプリンタ
【手続補正３】
【補正対象書類名】明細書
【補正対象項目名】０００１
【補正方法】変更
【補正の内容】
【０００１】
本発明は、被記録媒体に余白を設けず画像をプリントする、いわゆる「縁なしプリント」を実現するためのプリント条件設定方法、プログラム、プリント方法、プリントシステム、およびプリンタに関するものである。
【手続補正４】
【補正対象書類名】明細書
【補正対象項目名】０００９
【補正方法】変更
【補正の内容】
【０００９】
本発明の目的は、縁なしプリントを行う場合に、インク付与領域を必要最小限の大きさに設定して、インクミストの発生を低減することができるプリント条件設定方法、プログラム、プリント方法、プリントシステム、およびプリンタを提供することにある。
【手続補正５】
【補正対象書類名】明細書
【補正対象項目名】００１０
【補正方法】変更
【補正の内容】
【００１０】
本発明のプリント条件設定方法は、被プリント媒体上の第１領域および前記被プリント媒体の端部からはみ出した第２領域に対して、着色剤を付与して画像をプリントする際のプリント条件を設定するためのプリント条件設定方法であって、前記端部からの前記第２領域のはみ出し量として、異なる量ずつ段階的に変化する少なくとも３つのはみ出し量の内の１つを設定する工程を有することを特徴とする。
【手続補正６】
【補正対象書類名】明細書
【補正対象項目名】００１２
【補正方法】変更
【補正の内容】
【００１２】
本発明のプログラムは、被プリント媒体上の第１領域および前記被プリント媒体の端部からはみ出した第２領域に対して、着色剤を付与して画像をプリントする際のプリント条件を設定するためのプログラムであって、前記端部からの前記第２領域のはみ出し量として、異なる量ずつ段階的に変化する少なくとも３つのはみ出し量の内の１つを設定する工程をコンピュータに実行させることを特徴とする。
【手続補正７】
【補正対象書類名】明細書
【補正対象項目名】００１３
【補正方法】変更
【補正の内容】
【００１３】
本発明のプリント方法は、被プリント媒体上の第１領域および前記被プリント媒体の端部からはみ出した第２領域に対して、着色剤を付与して画像をプリントするプリント方法であって、前記端部からの前記第２領域のはみ出し量として、異なる量ずつ段階的に変化する少なくとも３つのはみ出し量の内の１つを設定する工程と、前記設定されたはみ出し量に基づいて画像をプリントする工程と、を有することを特徴とする。
【手続補正８】
【補正対象書類名】明細書
【補正対象項目名】００１４
【補正方法】変更
【補正の内容】
【００１４】
本発明のプリントシステムは、被プリント媒体上の第１領域および前記被プリント媒体の端部からはみ出した第２領域に対して、着色剤を付与して画像をプリント可能なプリンタと、前記端部からの前記第２領域のはみ出し量として、異なる量ずつ段階的に変化する少なくとも３つのはみ出し量の内の１つを設定可能な制御装置と、を含むことを特徴とする。
【手続補正９】
【補正対象書類名】明細書
【補正対象項目名】００１５
【補正方法】変更
【補正の内容】
【００１５】
本発明のプリンタは、被プリント媒体上の第１領域および前記被プリント媒体の端部からはみ出した第２領域に対して、着色剤を付与して画像をプリント可能なプリンタであって、前記端部からの前記第２領域のはみ出し量として、異なる量ずつ段階的に変化する少なくとも３つのはみ出し量の内の１つを設定可能な制御手段を備えることを特徴とする。